(57)【要約】      （修正有）【課題】Ｄ２Ｄ通信を有効に活用する。【解決手段】基地局２００は、Ｄ２Ｄ通信を行っている他のユーザ端末１００から送信される信号の受信強度を測定することを要求する測定要求（Ｓ１０２）をユーザ端末１００−１に送信する送信部と、前記測定要求（Ｓ１０２）に基づいて測定された前記受信強度を示す測定情報（Ｓ１０４）を前記ユーザ端末１００−１から受信する受信部と、前記測定情報（Ｓ１０４）に基づいて、前記ユーザ端末１００−１が前記Ｄ２Ｄ通信を可能か否かを判断する制御部とを備え、前記制御部は、前記ユーザ端末１００−１が前記Ｄ２Ｄ通信を可能であると判断した場合に、前記Ｄ２Ｄ通信を行うことを指示する制御（Ｓ１０６）を行う。【選択図】図８
2014233013.tif 000002
【特許請求の範囲】
【請求項１】
基地局が管理するセルとの接続を確立可能なユーザ端末を有し、直接的な端末間通信であるＤ２Ｄ通信をサポートする移動通信システムにおける前記基地局であって、
前記Ｄ２Ｄ通信を行っている他のユーザ端末から送信される信号の受信強度を測定することを要求する測定要求を前記ユーザ端末に送信する送信部と、
前記測定要求に基づいて測定された前記受信強度を示す測定情報を前記ユーザ端末から受信する受信部と、
前記測定情報に基づいて、前記ユーザ端末が前記Ｄ２Ｄ通信を可能か否かを判断する制御部と、を備え、
前記制御部は、前記ユーザ端末が前記Ｄ２Ｄ通信を可能であると判断した場合に、前記Ｄ２Ｄ通信を行うことを指示する制御を行うことを特徴とする基地局。
【請求項２】
前記送信部は、前記ユーザ端末が前記他のユーザ端末とコアネットワークを経由するセルラ通信を行っている場合に、前記測定要求を送信することを特徴とする請求項１に記載の基地局。
【請求項３】
前記制御部は、前記他のユーザ端末が、前記ユーザ端末と接続を確立する前記セル又は前記セルに隣接する隣接セルに在圏する場合に、前記ユーザ端末が前記Ｄ２Ｄ通信を可能であると判断し、前記測定要求を送信する制御を行うことを特徴とする請求項１に記載の基地局。
【請求項４】
前記制御部は、前記ユーザ端末の位置情報及び前記他のユーザ端末の位置情報に基づいて、前記ユーザ端末が前記他のユーザ端末の近くに存在すると判断した場合に、前記測定要求を送信する制御を行うことを特徴とする請求項１に記載の基地局。
【請求項５】
前記制御部は、前記ユーザ端末が前記他のユーザ端末の近くに存在することを示す近傍通知を受信した場合に、前記測定要求を送信する制御を行うことを特徴とする請求項１に記載の基地局。
【請求項６】
前記制御部は、前記Ｄ２Ｄ通信用の相手端末を発見するための発見用信号を受信したことを示す発見情報を前記ユーザ端末又は前記他のユーザ端末から受信した場合に、前記測定要求を送信する制御を行うことを特徴とする請求項１に記載の基地局。
【請求項７】
前記送信部は、前記ユーザ端末が前記受信強度を測定するために、前記他のユーザ端末が前記Ｄ２Ｄ通信を行うために割り当てられた無線リソースを示すスケジューリング情報を前記ユーザ端末に送信することを特徴とする請求項１に記載の基地局。
【請求項８】
前記送信部は、前記ユーザ端末が前記スケジューリング情報をデコードするためのデコード情報を前記ユーザ端末に送信することを特徴とする請求項７に記載の基地局。
【請求項９】
前記送信部は、前記ユーザ端末が、前記測定情報を送信するか否かを判断するために用いられる閾値を前記ユーザ端末に送信することを特徴とする請求項１に記載の基地局。
【請求項１０】
基地局が管理するセルとの接続を確立可能なユーザ端末を有し、直接的な端末間通信であるＤ２Ｄ通信をサポートする移動通信システムにおける前記ユーザ端末であって、
前記Ｄ２Ｄ通信を行っている他のユーザ端末から送信される信号の受信強度を測定することを要求する測定要求を前記基地局から受信する受信部と、
前記測定要求に基づいて、前記他のユーザ端末から送信される前記信号の前記受信強度を測定する制御を行う制御部と、
前記受信強度を示す測定情報を前記基地局に送信する送信部と、を備え、
前記制御部は、前記ユーザ端末が前記他のユーザ端末と前記Ｄ２Ｄ通信を行うことを指示するＤ２Ｄ指示を前記基地局から受信した場合に、前記他のユーザ端末と前記Ｄ２Ｄ通信を行う制御を行うことを特徴とするユーザ端末。
【請求項１１】
前記送信部は、前記ユーザ端末の位置情報を前記基地局に送信し、
前記受信部は、前記位置情報に基づいて送信された前記測定要求を前記基地局から受信することを特徴とする請求項１０に記載のユーザ端末。
【請求項１２】
前記受信部は、前記他のユーザ端末の位置情報を前記基地局から受信し、
前記制御部は、前記他のユーザ端末の前記位置情報に基づいて、前記ユーザ端末が前記他のユーザ端末の近くに存在すると判断した場合に、前記ユーザ端末が前記他のユーザ端末の近くに存在することを示す近傍通知を前記基地局に送信し、
前記受信部は、前記近傍通知に基づいて送信された前記測定要求を前記基地局から受信することを特徴とする請求項１０に記載のユーザ端末。
【請求項１３】
前記受信部は、前記Ｄ２Ｄ通信用の相手端末を発見するための発見用信号を前記他のユーザ端末から受信し、
前記送信部は、前記発見用信号を受信したことを示す発見情報を前記基地局に送信し、
前記受信部は、前記発見情報に基づいて送信された前記測定要求を前記基地局から受信することを特徴とする請求項１０に記載のユーザ端末。
【請求項１４】
前記受信部は、前記他のユーザ端末が前記Ｄ２Ｄ通信を行うために割り当てられた無線リソースを示すスケジューリング情報を前記基地局から受信し、
前記制御部は、前記スケジューリング情報に基づいて、前記受信強度を測定する制御を行うことを特徴とする請求項１０に記載のユーザ端末。
【請求項１５】
前記受信部は、前記スケジューリング情報をデコードするためのデコード情報を前記基地局から受信し、
前記制御部は、前記デコード情報を用いて前記スケジューリング情報をデコードすることを特徴とする請求項１４に記載のユーザ端末。
【請求項１６】
前記制御部は、前記受信強度が閾値を超えた場合に、前記基地局に前記測定情報を送信する制御を行うことを特徴とする請求項１０に記載のユーザ端末。
【請求項１７】
前記信号は、前記Ｄ２Ｄ通信のために用いられる参照信号であることを特徴とする請求項１０に記載のユーザ端末。
【請求項１８】
基地局が管理するセルとの接続を確立可能なユーザ端末を有し、直接的な端末間通信であるＤ２Ｄ通信をサポートする移動通信システムにおける前記ユーザ端末に備えられるプロセッサであって、
前記Ｄ２Ｄ通信を行っている他のユーザ端末から送信される信号の受信強度を測定することを要求する測定要求を前記基地局から受信する処理を実行し、
前記測定要求に基づいて、前記他のユーザ端末から送信される前記信号の前記受信強度を測定する制御を行う処理を実行し、
前記受信強度を示す測定情報を前記基地局に送信する処理を実行し、
前記ユーザ端末が前記他のユーザ端末と前記Ｄ２Ｄ通信を行うことを指示するＤ２Ｄ指示を前記基地局から受信した場合に、前記他のユーザ端末と前記Ｄ２Ｄ通信を行う処理を実行することを特徴とするプロセッサ。
【発明の詳細な説明】
【技術分野】
【０００１】
本発明は、Ｄ２Ｄ通信をサポートする移動通信システムにおける基地局、ユーザ端末及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。
【０００３】
Ｄ２Ｄ通信では、近接する複数のユーザ端末が、コアネットワークを介さずに直接的な通信を行う。すなわち、Ｄ２Ｄ通信のデータパスは、コアネットワークを経由しない。一方、移動通信システムの通常の通信（セルラ通信）のデータパスは、コアネットワークを経由する。
【先行技術文献】
【非特許文献】
【０００４】
【非特許文献１】３ＧＰＰ技術報告  「ＴＲ  ２２．８０３  Ｖ１．１．０」  ２０１２年１１月
【発明の概要】
【発明が解決しようとする課題】
【０００５】
現状の仕様においては、Ｄ２Ｄ通信を適切に制御するための仕組みが存在しない。このため、Ｄ２Ｄ通信が有効活用されていないという問題がある。
【０００６】
そこで、本発明は、Ｄ２Ｄ通信を有効に活用できる移動通信システムにおける基地局、ユーザ端末及びプロセッサを提供する。
【課題を解決するための手段】
【０００７】
一実施形態によれば、基地局が管理するセルとの接続を確立可能なユーザ端末を有し、直接的な端末間通信であるＤ２Ｄ通信をサポートする移動通信システムにおける基地局は、前記Ｄ２Ｄ通信を行っている他のユーザ端末から送信される信号の受信強度を測定することを要求する測定要求を前記ユーザ端末に送信する送信部と、前記測定要求に基づいて測定された前記受信強度を示す測定情報を前記ユーザ端末から受信する受信部と、前記測定情報に基づいて、前記ユーザ端末が前記Ｄ２Ｄ通信を可能か否かを判断する制御部と、を備える。前記制御部は、前記ユーザ端末が前記Ｄ２Ｄ通信を可能であると判断した場合に、前記Ｄ２Ｄ通信を行うことを指示する制御を行う。
【発明の効果】
【０００８】
本発明に係る基地局、ユーザ端末及びプロセッサによれば、Ｄ２Ｄ通信を有効に活用できる。
【図面の簡単な説明】
【０００９】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、セルラ通信におけるデータパスを示す図である。
【図７】図７は、Ｄ２Ｄ通信におけるデータパスを示す図である。
【図８】図８は、実施形態に係る移動通信システムの動作例を示すシーケンス図である。
【発明を実施するための形態】
【００１０】
［実施形態の概要］
実施形態に係る基地局は、基地局が管理するセルとの接続を確立可能なユーザ端末を有し、直接的な端末間通信であるＤ２Ｄ通信をサポートする移動通信システムにおける基地局である。前記基地局は、前記Ｄ２Ｄ通信を行っている他のユーザ端末から送信される信号の受信強度を測定することを要求する測定要求を前記ユーザ端末に送信する送信部と、前記測定要求に基づいて測定された前記受信強度を示す測定情報を前記ユーザ端末から受信する受信部と、前記測定情報に基づいて、前記ユーザ端末が前記Ｄ２Ｄ通信を可能か否かを判断する制御部と、を備える。前記制御部は、前記ユーザ端末が前記Ｄ２Ｄ通信を可能であると判断した場合に、前記Ｄ２Ｄ通信を行うことを指示する制御を行う。
【００１１】
実施形態に係る基地局において、前記送信部は、前記ユーザ端末が前記他のユーザ端末とコアネットワークを経由するセルラ通信を行っている場合に、前記測定要求を送信する。
【００１２】
実施形態に係る基地局において、前記制御部は、前記他のユーザ端末が、前記ユーザ端末と接続を確立する前記セル又は前記セルに隣接する隣接セルに在圏する場合に、前記ユーザ端末が前記Ｄ２Ｄ通信を可能であると判断し、前記測定要求を送信する制御を行う。
【００１３】
実施形態に係る基地局において、前記制御部は、前記ユーザ端末の位置情報及び前記他のユーザ端末の位置情報に基づいて、前記ユーザ端末が前記他のユーザ端末の近くに存在すると判断した場合に、前記測定要求を送信する制御を行う。
【００１４】
実施形態に係る基地局において、前記制御部は、前記ユーザ端末が前記他のユーザ端末の近くに存在することを示す近傍通知を受信した場合に、前記測定要求を送信する制御を行う。
【００１５】
実施形態に係る基地局において、前記制御部は、前記Ｄ２Ｄ通信用の相手端末を発見するための発見用信号を受信したことを示す発見情報を前記ユーザ端末又は前記他のユーザ端末から受信した場合に、前記測定要求を送信する制御を行う。
【００１６】
実施形態に係る基地局において、前記送信部は、前記ユーザ端末が前記受信強度を測定するために、前記他のユーザ端末が前記Ｄ２Ｄ通信を行うために割り当てられた無線リソースを示すスケジューリング情報を前記ユーザ端末に送信する。
【００１７】
実施形態に係る基地局において、前記送信部は、前記ユーザ端末が前記スケジューリング情報をデコードするためのデコード情報を前記ユーザ端末に送信する。
【００１８】
実施形態に係る基地局において、前記送信部は、前記ユーザ端末が、前記測定情報を送信するか否かを判断するために用いられる閾値を前記ユーザ端末に送信する。
【００１９】
実施形態に係るユーザ端末は、基地局が管理するセルとの接続を確立可能なユーザ端末を有し、直接的な端末間通信であるＤ２Ｄ通信をサポートする移動通信システムにおけるユーザ端末である。前記ユーザ端末は、前記Ｄ２Ｄ通信を行っている他のユーザ端末から送信される信号の受信強度を測定することを要求する測定要求を前記基地局から受信する受信部と、前記測定要求に基づいて、前記他のユーザ端末から送信される前記信号の前記受信強度を測定する制御を行う制御部と、前記受信強度を示す測定情報を前記基地局に送信する送信部と、を備える。前記制御部は、前記ユーザ端末が前記他のユーザ端末と前記Ｄ２Ｄ通信を行うことを指示するＤ２Ｄ指示を前記基地局から受信した場合に、前記他のユーザ端末と前記Ｄ２Ｄ通信を行う制御を行う。
【００２０】
実施形態に係るユーザ端末において、前記送信部は、前記ユーザ端末の位置情報を前記基地局に送信し、前記受信部は、前記位置情報に基づいて送信された前記測定要求を前記基地局から受信する。
【００２１】
実施形態に係るユーザ端末において、前記受信部は、前記他のユーザ端末の位置情報を前記基地局から受信し、前記制御部は、前記他のユーザ端末の前記位置情報に基づいて、前記ユーザ端末が前記他のユーザ端末の近くに存在すると判断した場合に、前記ユーザ端末が前記他のユーザ端末の近くに存在することを示す近傍通知を前記基地局に送信し、前記受信部は、前記近傍通知に基づいて送信された前記測定要求を前記基地局から受信する。
【００２２】
実施形態に係るユーザ端末において、前記受信部は、前記Ｄ２Ｄ通信用の相手端末を発見するための発見用信号を前記他のユーザ端末から受信し、前記送信部は、前記発見用信号を受信したことを示す発見情報を前記基地局に送信し、前記受信部は、前記発見情報に基づいて送信された前記測定要求を前記基地局から受信する。
【００２３】
実施形態に係るユーザ端末において、前記受信部は、前記他のユーザ端末が前記Ｄ２Ｄ通信を行うために割り当てられた無線リソースを示すスケジューリング情報を前記基地局から受信し、前記制御部は、前記スケジューリング情報に基づいて、前記受信強度を測定する制御を行う。
【００２４】
実施形態に係るユーザ端末において、前記受信部は、前記スケジューリング情報をデコードするためのデコード情報を前記基地局から受信し、前記制御部は、前記デコード情報を用いて前記スケジューリング情報をデコードする。
【００２５】
実施形態に係るユーザ端末において、前記制御部は、前記受信強度が閾値を超えた場合に、前記基地局に前記測定情報を送信する制御を行う。
【００２６】
実施形態において、前記信号は、前記Ｄ２Ｄ通信のために用いられる参照信号である。
【００２７】
実施形態に係るプロセッサは、基地局が管理するセルとの接続を確立可能なユーザ端末を有し、直接的な端末間通信であるＤ２Ｄ通信をサポートする移動通信システムにおける前記ユーザ端末に備えられるプロセッサである。前記プロセッサは、前記Ｄ２Ｄ通信を行っている他のユーザ端末から送信される信号の受信強度を測定することを要求する測定要求を前記基地局から受信する処理を実行し、前記測定要求に基づいて、前記他のユーザ端末から送信される前記信号の前記受信強度を測定する制御を行う処理を実行し、前記受信強度を示す測定情報を前記基地局に送信する処理を実行し、前記ユーザ端末が前記他のユーザ端末と前記Ｄ２Ｄ通信を行うことを指示するＤ２Ｄ指示を前記基地局から受信した場合に、前記他のユーザ端末と前記Ｄ２Ｄ通信を行う処理を実行する。
【００２８】
以下、図面を参照して、３ＧＰＰ規格に準拠して構成されるセルラ移動通信システム（以下、「ＬＴＥシステム」）にＤ２Ｄ通信を導入する場合の各実施形態を説明する。
【００２９】
（ＬＴＥシステム）
図１は、本実施形態に係るＬＴＥシステムの構成図である。
【００３０】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００３１】
ＵＥ１００は、移動型の無線通信装置であり、接続を確立したセル（サービングセル）との無線通信を行う。ＵＥ１００はユーザ端末に相当する。
【００３２】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００３３】
なお、「セル」は、無線通信エリアの最小単位を示す用語として使用される他に、ＵＥ１００との無線通信を行う機能を示す用語としても使用される。
【００３４】
ｅＮＢ２００は、例えば、無線リソース管理（ＲＲＭ）機能と、ユーザデータのルーティング機能と、モビリティ制御及びスケジューリングのための測定制御機能と、を有する。
【００３５】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００３６】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３７】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３８】
ＯＡＭ４００は、オペレータによって管理されるサーバ装置であり、Ｅ−ＵＴＲＡＮ１０の保守及び監視を行う。
【００３９】
次に、ＵＥ１００及びｅＮＢ２００の構成を説明する。
【００４０】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００４１】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４２】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４３】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４４】
ＧＮＳＳ受信機１３０は、ＵＥ１００の地理的な位置を示す位置情報を得るために、ＧＮＳＳ信号を受信して、受信した信号をプロセッサ１６０に出力する。
【００４５】
バッテリ１４０は、ＵＥ１００の各ブロックに供給すべき電力を蓄える。
【００４６】
メモリ１５０は、プロセッサ１６０によって実行されるプログラムと、プロセッサ１６０による処理に使用される情報と、を記憶する。
【００４７】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４８】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４９】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００５０】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００５１】
メモリ２３０は、プロセッサ２４０によって実行されるプログラムと、プロセッサ２４０による処理に使用される情報と、を記憶する。
【００５２】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５３】
図４は、ＬＴＥシステムにおける無線インターフェイスのプロトコルスタック図である。
【００５４】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５５】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５６】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５７】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５８】
ＰＤＣＰレイヤは、ヘッダ圧縮・伸張、及び暗号化・復号化を行う。
【００５９】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００６０】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６１】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００６２】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６３】
ＵＥ１００に割り当てられる無線リソースのうち、周波数リソースはリソースブロックにより特定でき、時間リソースはサブフレーム（又はスロット）により特定できる。
【００６４】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００６５】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００６６】
（Ｄ２Ｄ通信）
次に、ＬＴＥシステムの通常の通信（セルラ通信）とＤ２Ｄ通信とを比較して説明する。
【００６７】
図６は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６８】
図６に示すように、セルラ通信のデータパスはコアネットワークを経由する。詳細には、ｅＮＢ２００−１、Ｓ−ＧＷ３００、及びｅＮＢ２００−２を経由するデータパスが設定される。
【００６９】
図７は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００７０】
例えば、ＵＥ１００−１及びＵＥ１００−２のうち一方のＵＥ１００が、近傍に存在する他方のＵＥ１００を発見することで、Ｄ２Ｄ通信が開始される。なお、Ｄ２Ｄ通信を開始するために、ＵＥ１００は、自身の近傍に存在する他のＵＥ１００を発見する（Ｄｉｓｃｏｖｅｒ）機能を有する。また、ＵＥ１００は、他のＵＥ１００から発見される(Ｄｉｓｃｏｖｅｒａｂｌｅ)機能を有する。
【００７１】
図７に示すように、Ｄ２Ｄ通信のデータパスはコアネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、コアネットワークのトラフィック負荷及びＵＥ１００のバッテリ消費量を削減するなどの効果が得られる。なお、Ｌｏｃａｌｌｙ  Ｒｏｕｔｅｄというモードでは、データパスがＳ−ＧＷ３００を経由せずにｅＮＢ２００を経由する。
【００７２】
（Ｄ２Ｄ端末リスト）
ネットワークは、Ｄ２Ｄ通信を行っているＵＥ１００を管理している。本実施形態において、ｅＮＢ２００は、Ｄ２Ｄ端末リストを有し、当該Ｄ２Ｄ端末リストを用いてＤ２Ｄ通信を行っているＵＥ１００を管理する。
【００７３】
Ｄ２Ｄ端末リストは、Ｄ２Ｄ通信を行っているＵＥ１００のリストである。具体的には、Ｄ２Ｄ端末リストには、ｅＮＢ２００が管理する自セルに在圏し、Ｄ２Ｄ通信を行っているＵＥ１００の情報が記録される。ＵＥ１００の情報として、例えば、ＵＥ１００の識別子、位置情報、ＵＥ１００の通信相手の識別子、ＵＥ１００の通信相手の位置情報、及び、ＵＥ１００の通信相手が在圏しているセルの識別子が挙げられる。なお、自セルに隣接する隣接セルに在圏し、Ｄ２Ｄ通信を行っているＵＥ１００の情報が記録されてもよい。
【００７４】
なお、ＵＥ１００がセルに在圏している場合、ＵＥ１００は、当該セルとの接続を確立した状態（接続状態）、又は当該セルにキャンプした状態（アイドル状態）である。
【００７５】
ｅＮＢ２００は、自セルに在圏するＵＥ１００が、Ｄ２Ｄ通信を開始した場合又はＤ２Ｄ通信を行っている場合に、当該ＵＥ１００をＤ２Ｄ端末リストに記録する。
【００７６】
また、ｅＮＢ２００は、Ｄ２Ｄ端末リストに記録されているＵＥ１００が、Ｄ２Ｄ通信を終了した場合に、Ｄ２Ｄ端末リストに記録されたＵＥ１００を削除する。また、ｅＮＢ２００は、ＵＥ１００が、ｅＮＢ２００に隣接する隣接ｅＮＢ２００が管理するセルとの接続を確立した場合に、Ｄ２Ｄ端末リストに記録されたＵＥ１００を削除してもよいし、ＵＥ１００が、自セル及び隣接セルから別のセルとの接続を確立した場合に、Ｄ２Ｄ端末リストに記録されたＵＥ１００を削除してもよい。
【００７７】
ｅＮＢ２００は、Ｄ２Ｄ端末リストに基づいて、ＵＥ１００がＤ２Ｄ通信を行っているかを判断する。
【００７８】
なお、ｅＮＢ２００は、定期的又は不定期に、ｅＮＢ２００に隣接する隣接ｅＮＢ２００から、Ｘ２インターフェイスを介して、隣接ｅＮＢ２００が有するＤ２Ｄ端末リストを取得してもよい。
【００７９】
（実施形態に係る移動通信システムの概略動作）
次に、実施形態に係る移動通信システムの概略動作について、図８を用いて説明する。図８は、実施形態に係る移動通信システムの動作例を示すシーケンス図である。
【００８０】
本実施形態において、ＵＥ１００−１、ＵＥ１００−２及びＵＥ１００−３は、ｅＮＢ２００が管理するセルとの接続を確立している。また、図８に示すように、実施形態において、ＵＥ１００−１は、ＵＥ１００−２及びＵＥ１００−３と、ｅＮＢ２００及びコアネットワーク（不図示）を介するセルラ通信を行っている。また、ＵＥ１００−２とＵＥ１００−３とは、Ｄ２Ｄ通信を行っている。
【００８１】
なお、ｅＮＢ２００が、ＵＥ１００−２とＵＥ１００−３とのＤ２Ｄ通信を制御していると仮定して説明する。従って、ｅＮＢ２００は、ＵＥ１００−２とＵＥ１００−３とがＤ２Ｄ通信を行うために無線リソースを割り当て、割り当てられた無線リソースを示すスケジューリング情報をＵＥ１００−２及びＵＥ１００−３に送信する。
【００８２】
本実施形態において、ｅＮＢ２００は、ＵＥ１００−１が、Ｄ２Ｄ通信を行っているＵＥ１００−２及びＵＥ１００−３とセルラ通信を行っている場合に、ステップＳ１０１の処理を実行する。
【００８３】
図８に示すように、ステップＳ１０１において、ｅＮＢ２００は、ＵＥ１００−１が、ＵＥ１００−１のセルラ通信の相手端末であるＵＥ１００−２及びＵＥ１００−３の近くに存在するか否かを判断する。具体的には、ｅＮＢ２００は、以下の（Ａ）〜（Ｄ）の少なくともいずれかの方法によって、判断する。
【００８４】
（Ａ）判断パターン１
ｅＮＢ２００は、ＵＥ１００−１、ＵＥ１００−２及びＵＥ１００−３が在圏するセルに基づいて、ＵＥ１００−１がＵＥ１００−２及びＵＥ１００−３の近くに存在するか否かを判断する。
【００８５】
具体的には、ｅＮＢ２００は、Ｄ２Ｄ端末リストに基づいて、ＵＥ１００−１が接続するセルが、ＵＥ１００−２及びＵＥ１００−３の少なくとも一方が在圏するセルと同一又は隣接する場合に、ＵＥ１００−１がＵＥ１００−２及びＵＥ１００−３の近くに存在すると判断する。すなわち、ｅＮＢ２００は、ＵＥ１００−２及びＵＥ１００−３の少なくとも一方が、ＵＥ１００−１が接続するセル又は当該セルに隣接するセルに在圏する場合に、ＵＥ１００−１がＵＥ１００−２及びＵＥ１００−３の近くに存在すると判断する。
【００８６】
なお、ｅＮＢ２００は、ＵＥ１００−２及びＵＥ１００−３の両方が、ＵＥ１００−１が接続するセル又は隣接セルに在圏する場合に、ＵＥ１００−１がＵＥ１００−２及びＵＥ１００−３の近くに存在すると判断してもよい。
【００８７】
（Ｂ）判断パターン２
ｅＮＢ２００は、ＵＥ１００−１、ＵＥ１００−２及びＵＥ１００−３のそれぞれの位置情報に基づいて、ＵＥ１００−１がＵＥ１００−２及びＵＥ１００−３の近くに存在するか否かを判断する。
【００８８】
ｅＮＢ２００は、ＵＥ１００−１の位置情報及びＵＥ１００−２の位置情報に基づいて、ＵＥ１００−１とＵＥ１００−２との距離が閾値以下になった場合に、ＵＥ１００−１がＵＥ１００−２の近くに存在すると判断する。ｅＮＢ２００は、同様に、ＵＥ１００−１が、ＵＥ１００−３の近くに存在するか否かを判断する。
【００８９】
また、ｅＮＢ２００は、ＵＥ１００−１とＵＥ１００−２及びＵＥ１００−３の一方との距離が閾値以下になった場合に、ＵＥ１００−１とＵＥ１００−２及びＵＥ１００−３の他方との距離が閾値以下になったとみなしてもよい。
【００９０】
なお、ｅＮＢ２００は、ＵＥ１００−１、ＵＥ１００−２及びＵＥ１００−３のそれぞれに位置情報を要求して、各ＵＥ１００（ＵＥ１００−１、ＵＥ１００−２及びＵＥ１００−３）から位置情報を取得することができる。また、ｅＮＢ２００は、ｅＮＢ２００の上位装置から、各ＵＥ１００の位置情報を取得してもよい。
【００９１】
また、ｅＮＢ２００は、ＵＥ１００−１がＵＥ１００−２及びＵＥ１００−３の近くに存在しないと判断した場合に、各ＵＥ１００に、各ＵＥ１００の位置情報を送信する要求を定期的又は不定期に行ってもよく、ｅＮＢ２００は、各ＵＥ１００に、定期的に位置情報を送信する要求を行ってもよい。また、ｅＮＢ２００は、各ＵＥ１００が、ｅＮＢ２００に送信した位置情報が示す位置から所定値以上離れた場合に、最新の位置情報を送信するように、各ＵＥ１００に要求してもよい。
【００９２】
（Ｃ）判断パターン３
ｅＮＢ２００は、ＵＥ１００−１がＵＥ１００−２及びＵＥ１００−３の近くに存在することを示す近傍通知に基づいて、ＵＥ１００−１がＵＥ１００−２及びＵＥ１００−３の近くに存在するか否かを判断する。
【００９３】
まず、ｅＮＢ２００は、ＵＥ１００−２及びＵＥ１００−３のそれぞれに位置情報を要求して、ＵＥ１００−２及びＵＥ１００−３のそれぞれから位置情報を取得する。
【００９４】
次に、ｅＮＢ２００は、ＵＥ１００−２及びＵＥ１００−３のそれぞれの位置情報をＵＥ１００−１に送信する。ＵＥ１００−１は、ＵＥ１００−２及びＵＥ１００−３のそれぞれの位置情報を受信する。
【００９５】
ＵＥ１００−１は、受信したＵＥ１００−２及びＵＥ１００−３のそれぞれの位置情報に基づいて、ＵＥ１００−１がＵＥ１００−２及びＵＥ１００−３の近くに存在するか否かを判断する。具体的には、ＵＥ１００−１は、ＵＥ１００−１の現在位置とＵＥ１００−２の位置情報とに基づいて、ＵＥ１００−１とＵＥ１００−２との距離が閾値以下になった場合に、ＵＥ１００−１がＵＥ１００−２の近くに存在すると判断する。ｅＮＢ２００は、同様に、ＵＥ１００−１が、ＵＥ１００−３の近くに存在するか否かを判断する。
【００９６】
ＵＥ１００−１は、ＵＥ１００−２及びＵＥ１００−３の近くに存在すると判断した場合に、近傍通知をｅＮＢ２００に送信する。
【００９７】
ｅＮＢ２００は、近傍通知を受信した場合に、ＵＥ１００−１がＵＥ１００−２及びＵＥ１００−３の近くに存在すると判断する。
【００９８】
なお、ｅＮＢ２００は、ＵＥ１００−２及びＵＥ１００−３のそれぞれから定期的又は不定期に受信した位置情報をＵＥ１００−１に送信してもよい。
【００９９】
（Ｄ）判断パターン４
ｅＮＢ２００は、Ｄ２Ｄ通信用の相手端末を発見するための発見用信号（以下、Ｄｉｓｃｏｖｅｒｙ信号と称する）を受信したことを示す発見情報に基づいて、ＵＥ１００−１がＵＥ１００−２及びＵＥ１００−３の近くに存在するか否かを判断する。
【０１００】
まず、ｅＮＢ２００は、ＵＥ１００−１、ＵＥ１００−２及びＵＥ１００−３の少なくともいずれかのＵＥ１００に、Ｄｉｓｃｏｖｅｒｙ信号を送信するように要求する。ここでは、ＵＥ１００−２及びＵＥ１００−３が、Ｄｉｓｃｏｖｅｒｙ信号の送信要求を受信したと仮定して説明する。
【０１０１】
ＵＥ１００−２及びＵＥ１００−３は、当該要求に基づいて、Ｄｉｓｃｏｖｅｒｙ信号を送信する。ＵＥ１００−１は、ＵＥ１００−２及びＵＥ１００−３のそれぞれからのＤｉｓｃｏｖｅｒｙ信号を受信した場合に、Ｄｉｓｃｏｖｅｒｙ信号を受信したことを示す発見情報をｅＮＢ２００に送信する。
【０１０２】
ｅＮＢ２００は、発見情報を受信した場合に、ＵＥ１００−１がＵＥ１００−２及びＵＥ１００−３の近くに存在すると判断する。
【０１０３】
以上の（Ａ）〜（Ｄ）の少なくともいずれかの判断パターンにより、ｅＮＢ２００は、ＵＥ１００−１が、ＵＥ１００−２及びＵＥ１００−３に近接したと判断した場合に、ステップＳ１０２の処理を実行する。
【０１０４】
ステップＳ１０２において、ｅＮＢ２００は、ＵＥ１００−１に測定要求を行う。ＵＥ１００−１は、測定要求を受信する。
【０１０５】
測定要求は、Ｄ２Ｄ通信を行っているＵＥ１００−２及びＵＥ１００−３から送信される信号の受信強度を測定することを要求する情報である。
【０１０６】
また、ｅＮＢ２００は、ＵＥ１００−２とＵＥ１００−３とがＤ２Ｄ通信を行うために割り当てられた無線リソースを示すスケジューリング情報をＵＥ１００−１に送信してもよい。
【０１０７】
また、ｅＮＢ２００は、スケジューリング情報を送信する無線リソースを示す無線リソース情報をＵＥ１００−１に送信してもよい。ＵＥ１００−１は、受信した無線リソース情報に基づいて、スケジューリング情報を受信することができる。
【０１０８】
また、ｅＮＢ２００は、スケジューリング情報をデコードするためのデコード情報を送信してもよい。ＵＥ１００−１は、デコード情報に基づいて、スケジューリング情報をデコードすることができる。
【０１０９】
また、ｅＮＢ２００は、後述する測定情報を送信するか否かを判断するために用いられる閾値をＵＥ１００−１に送信してもよい。
【０１１０】
ステップＳ１０３において、ＵＥ１００−１は、Ｄ２Ｄ通信を行っているＵＥ１００−２及びＵＥ１００−３から送信される信号を測定する。
【０１１１】
ＵＥ１００−２及びＵＥ１００−３は、Ｄ２Ｄ通信を行っているため、Ｄ２Ｄ通信に用いられるＤ２Ｄ信号を送信している。ＵＥ１００−１は、ＵＥ１００−２及びＵＥ１００−３のそれぞれから送信されるＤ２Ｄ信号を受信し、受信した各Ｄ２Ｄ信号の受信強度を測定する。
【０１１２】
ＵＥ１００−１は、スケジューリング情報によって、ＵＥ１００−２及びＵＥ１００−３がＤ２Ｄ信号を送信するタイミング及びＤ２Ｄ信号の周波数帯を推定することができる。ＵＥ１００−１は、推定した周波数帯におけるＤ２Ｄ信号の受信強度を推定したタイミングで測定してもよい。
【０１１３】
また、ＵＥ１００−１は、ＵＥ１００−２及びＵＥ１００−３から送信されたＤ２Ｄ通信のために用いられるＤ２Ｄ参照信号を受信して、Ｄ２Ｄ参照信号の受信強度を測定してもよい。Ｄ２Ｄ参照信号は、Ｄ２Ｄ通信を行っているＵＥ１００が、所定の電波強度で定期的又は不定期に送信する信号である。Ｄ２Ｄ参照信号は、例えば、Ｄ２Ｄ通信を行っているＵＥ１００が、Ｄ２Ｄ通信を継続可能か否かを判断するために用いられる。具体的には、ＵＥ１００−２及びＵＥ１００−３は、Ｄ２Ｄ参照信号を互いに所定値以上の受信強度で受信することにより、Ｄ２Ｄ通信が継続可能と判断する。
【０１１４】
ステップＳ１０４において、ＵＥ１００−１は、測定されたＤ２Ｄ信号の受信強度を示す測定情報をｅＮＢ２００に送信する。ｅＮＢ２００は、測定情報を受信する。
【０１１５】
ＵＥ１００−１は、定期的に測定情報をｅＮＢ２００に送信してもよいし、ＵＥ１００−１は、受信強度が所定の閾値を超えた場合に、ｅＮＢ２００に送信してもよい。当該所定の閾値は、ＵＥ１００−１に予め記憶されていた固有の閾値であってもよいし、ステップＳ１０２で説明したｅＮＢ２００から受信した閾値であってもよい。
【０１１６】
ステップＳ１０５において、ｅＮＢ２００は、ＵＥ１００−１がＵＥ１００−２及びＵＥ１００−３とＤ２Ｄ通信が可能か否かを判断する。ｅＮＢ２００は、ＵＥ１００−２及びＵＥ１００−３のそれぞれのＤ２Ｄ信号の受信強度が所定値以上である場合に、ＵＥ１００−１がＵＥ１００−２及びＵＥ１００−３とＤ２Ｄ通信が可能と判断する。
【０１１７】
ｅＮＢ２００は、Ｄ２Ｄ通信が不可能と判断した場合は、ステップＳ１０１の近接判断を行ってもよいし、ステップＳ１０１の近接判断を行わずにステップＳ１０２の測定要求を定期的又は不定期に送信してもよい。
【０１１８】
一方、ｅＮＢ２００は、Ｄ２Ｄ通信が可能と判断した場合は、ステップＳ１０６において、ＵＥ１００−２及びＵＥ１００−３とＤ２Ｄ通信を行うことを指示するＤ２Ｄ指示を送信する。ＵＥ１００−１は、Ｄ２Ｄ指示を受信する。
【０１１９】
ｅＮＢ２００は、ＵＥ１００−１、ＵＥ１００−２及びＵＥ１００−３がＤ２Ｄ通信を行うために割り当てられた無線リソースを示すスケジューリング情報をＵＥ１００−１に送信してもよい。
【０１２０】
ステップＳ１０７において、ＵＥ１００−１、ＵＥ１００−２及びＵＥ１００−３は、Ｄ２Ｄリンクを確立するために、Ｄ２Ｄセットアップを行う。Ｄ２Ｄリンクを確立した後、ＵＥ１００−１、ＵＥ１００−２及びＵＥ１００−３は、Ｄ２Ｄ通信を行う。
【０１２１】
Ｄ２Ｄリンクが確立した場合、ＵＥ１００−１は、Ｄ２Ｄセットアップが完了したことを報告する完了報告をｅＮＢ２００に送信してもよい。または、ＵＥ１００−１、ＵＥ１００−２及びＵＥ１００−３を代表してｅＮＢ２００と通信を行うアンカーＵＥ１００が、完了報告をｅＮＢ２００に送信してもよい。
【０１２２】
ｅＮＢ２００は、当該完了報告に基づいて、Ｄ２Ｄ端末リストを更新してもよいし、ステップＳ１０６におけるＤ２Ｄ指示を送信した場合に、Ｄ２Ｄ端末リストを更新してもよい。
【０１２３】
（第１実施形態のまとめ）
本実施形態において、ｅＮＢ２００（無線送受信機２１０）は、Ｄ２Ｄ通信を行っているＵＥ１００−２及びＵＥ１００−３から送信されるＤ２Ｄ信号の受信強度を測定することを要求する測定要求を送信する。ＵＥ１００−１（無線送受信機１１０）は、測定要求をｅＮＢ２００から受信する。ＵＥ１００−１（制御部及び無線送受信機１１０）は、測定要求に基づいて、ＵＥ１００−２及びＵＥ１００−３から送信されるＤ２Ｄ信号の受信強度を測定する。ＵＥ１００−１（無線送受信機１１０）は、受信強度を示す測定情報をｅＮＢ２００に送信する。ｅＮＢ２００（無線送受信機２１０）は、測定情報をＵＥ１００−１から受信する。ｅＮＢ２００（制御部）は、測定情報に基づいて、ＵＥ１００−１がＤ２Ｄ通信を可能か否かを判断する。ｅＮＢ２００（制御部及び無線送受信機２１０）は、ＵＥ１００−１がＤ２Ｄ通信が可能であると判断した場合に、ＵＥ１００−１にＤ２Ｄ通信を行うことを指示するＤ２Ｄ指示を送信する。ＵＥ１００−１（制御部及び無線送受信機１１０）は、Ｄ２Ｄ通信を行うことを指示するＤ２Ｄ指示をｅＮＢ２００から受信した場合に、ＵＥ１００−２及びＵＥ１００−３とＤ２Ｄ通信を行う。これにより、ｅＮＢ２００は、Ｄ２Ｄ通信を行っているＵＥ１００−２及びＵＥ１００−３からの信号の受信強度に基づいて、ＵＥ１００−１がＤ２Ｄ通信が可能か否かを判断するため、ＵＥ１００−１がＤ２Ｄ通信が可能か否かを精度よく判断することができる。さらに、ＵＥ１００−１は、Ｄ２Ｄ通信が可能である場合に、ｅＮＢ２００からのＤ２Ｄ指示に基づいてＤ２Ｄ通信を行うため、Ｄ２Ｄ通信を有効に活用することができる。
【０１２４】
また、本実施形態では、ｅＮＢ２００（無線送受信機２１０）は、ＵＥ１００−１がＵＥ１００−２及びＵＥ１００−３とセルラ通信を行っている場合に、測定要求を送信し、ＵＥ１００−１（制御部及び無線送受信機１１０）は、ＵＥ１００−２及びＵＥ１００−３とセルラ通信を行っている場合に、受信強度を測定する。これにより、セルラ通信の代わりに、Ｄ２Ｄ通信を行うことによって、Ｄ２Ｄ通信を有効活用すると共に、ｅＮＢ２００の負荷を低減することができる。
【０１２５】
また、本実施形態では、ｅＮＢ２００（制御部）は、ＵＥ１００−２及びＵＥ１００−３の少なくとも一方が、ＵＥ１００−１が接続するセル又は当該セルに隣接するセルに在圏する場合に、ＵＥ１００−１がＵＥ１００−２及びＵＥ１００−３の近くに存在すると判断し、ＵＥ１００−１がＤ２Ｄ通信を可能であると判断する。これにより、ｅＮＢ２００は、無駄な測定要求を送信せずに済み、ＵＥ１００−１は、無駄なＤ２Ｄ信号の測定をせずに済む。
【０１２６】
また、本実施形態では、ＵＥ１００−１（無線送受信機１１０）は、ＵＥ１００−１の位置情報をｅＮＢ２００に送信する。ｅＮＢ２００（制御部及び無線送受信機２１０）は、ＵＥ１００−１の位置情報及びＵＥ１００−２及びＵＥ１００−３のそれぞれの位置情報に基づいて、ＵＥ１００−１がＵＥ１００−２及びＵＥ１００−３の近くに存在すると判断した場合に測定要求を送信する。ＵＥ１００−１（無線送受信機１１０）は、位置情報に基づいて送信された測定要求をｅＮＢ２００から受信する。これにより、ｅＮＢ２００は、無駄な測定要求を送信せずに済み、ＵＥ１００−１は、無駄なＤ２Ｄ信号の測定をせずに済む。
【０１２７】
また、本実施形態では、ＵＥ１００−１（無線送受信機１１０）は、ＵＥ１００−２及びＵＥ１００−３のそれぞれの位置情報をｅＮＢ２００から受信する。ＵＥ１００−１（制御部及び無線送受信機１１０）は、ＵＥ１００−２及びＵＥ１００−３のそれぞれの位置情報に基づいて、ＵＥ１００−２及びＵＥ１００−３の近くに存在すると判断した場合に、近傍通知を送信する。ｅＮＢ２００（制御部及び無線送受信機２１０）は、近傍通知を受信した場合に、測定要求を送信する。ＵＥ１００−１（無線送受信機１１０）は、近傍通知に基づいて送信された測定要求をｅＮＢ２００から受信する。これにより、ｅＮＢ２００は、無駄な測定要求を送信せずに済み、ＵＥ１００−１は、無駄なＤ２Ｄ信号の測定をせずに済む。
【０１２８】
ＵＥ１００−１（無線送受信機１１０）は、Ｄｉｓｃｏｖｅｒｙ信号をＵＥ１００−２及びＵＥ１００−３から受信し、Ｄｉｓｃｏｖｅｒｙ信号を受信したことを示す発見情報をｅＮＢ２００に送信する。ｅＮＢ２００（制御部及び無線送受信機２１０）は、発見情報をＵＥ１００−１から受信した場合に、測定要求を送信する。ＵＥ１００−１（無線送受信機１１０）は、発見情報に基づいて送信された測定要求をｅＮＢ２００から受信する。これにより、ｅＮＢ２００は、無駄な測定要求を送信せずに済み、ＵＥ１００−１は、無駄なＤ２Ｄ信号の測定をせずに済む。
【０１２９】
また、本実施形態では、ｅＮＢ２００（無線送受信機２１０）は、ＵＥ１００−２及びＵＥ１００−３がＤ２Ｄ通信を行うために割り当てられた無線リソースを示すスケジューリング情報をＵＥ１００−１に送信する。ＵＥ１００−１（無線送受信機１１０）は、スケジューリング情報を受信する。ＵＥ１００−１（制御部及び無線送受信機１１０）は、スケジューリング情報に基づいて、受信強度を測定する。これにより、ＵＥ１００−１は、スケジューリング情報によって、ＵＥ１００−２及びＵＥ１００−３がＤ２Ｄ信号を送信するタイミング及びＤ２Ｄ信号の周波数帯を推定することができる。ＵＥ１００−１は、推定した周波数帯におけるＤ２Ｄ信号の受信強度を推定したタイミングで測定することによって、効率よく受信強度を測定できる。
【０１３０】
また、本実施形態では、ｅＮＢ２００（無線送受信機２１０）は、ＵＥ１００−１がスケジューリング情報をデコードするためのデコード情報をＵＥ１００−１に送信する。ＵＥ１００−１（無線送受信機１１０）は、デコード情報をｅＮＢ２００から受信する。ＵＥ１００−１（制御部）は、デコード情報を用いてスケジューリング情報をデコードする。これにより、ＵＥ１００−１は、スケジューリング情報を受信し、受信したスケジューリング情報をデコードすることができる。ＵＥ１００−１は、デコードされたスケジューリング情報に基づいて、効率よくＤ２Ｄ信号の受信強度を測定できる。
【０１３１】
また、本実施形態において、ｅＮＢ２００（無線送受信機２１０）は、ＵＥ１００−１が測定情報を送信するか否かを判断するために用いられる閾値をＵＥ１００−１に送信する。ＵＥ１００−１（制御部及び無線送受信機１１０）は、受信強度が当該閾値を超えた場合に、ｅＮＢ２００に測定情報を送信する。これにより、ｅＮＢ２００は、測定情報の送信を制御できる。例えば、ｅＮＢ２００は、所定値以上の送信電力でＤ２Ｄ通信を行うことを許可する場合には、基準値よりも低い閾値をＵＥ１００−１に送信することができる。一方、ｅＮＢ２００は、所定値未満の送信電力でのみＤ２Ｄ通信を行うことを許可する場合には、基準値よりも高い閾値をＵＥ１００−１に送信することができる。
【０１３２】
また、本実施形態では、Ｄ２Ｄ信号は、Ｄ２Ｄ通信のために用いられるＤ２Ｄ参照信号であってもよい。Ｄ２Ｄ参照信号は、Ｄ２Ｄ通信が継続可能か否かを判定するために用いることができるため、Ｄ２Ｄ参照信号の受信強度を測定することにより、安定したＤ２Ｄ通信が保証された上で、ＵＥ１００−１は、Ｄ２Ｄ通信を開始することができる。
【０１３３】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１３４】
例えば、上述した実施形態では、ＵＥ１００−１は、ＵＥ１００−２及びＵＥ１００−３とセルラ通信を行っていたが、これに限られない。ＵＥ１００−１は、ＵＥ１００−２とのみセルラ通信を行い、ＵＥ１００−３と通信を行っていない場合であっても、ｅＮＢ２００は、測定要求を送信してもよい。すなわち、ｅＮＢ２００は、Ｄ２Ｄ通信を行っている複数のＵＥ１００のうち、少なくとも一つのＵＥ１００とセルラ通信を行い、且つ複数のＵＥ１００とＤ２Ｄ通信を行っていないＵＥ１００に対して、測定要求を送信してもよい。
【０１３５】
また、上述した実施形態では、ｅＮＢ２００は、ＵＥ１００−２及びＵＥ１００−３とセルラ通信を行っている場合に、測定要求をＵＥ１００−１に送信していたが、これに限られない。ＵＥ１００−１が、Ｄ２Ｄ通信を行っているＵＥ１００を通信相手としてセルラ通信又はＤ２Ｄ通信を要求した場合に、測定要求を送信してもよい。
【０１３６】
また、上述した実施形態では、ｅＮＢ２００は、ＵＥ１００−１が、ＵＥ１００−２及びＵＥ１００−３の近くに存在する場合に測定要求を送信していたが、これに限られない。ｅＮＢ２００は、近接判断をせずに測定要求を送信してもよい。
【０１３７】
また、上述した実施形態では、ＵＥ１００−１は、ＵＥ１００−２及びＵＥ１００−３のそれぞれのＤ２Ｄ信号の受信強度を測定していたが、これに限られない。例えば、ＵＥ１００−１は、ＵＥ１００−２とセルラ通信をしていた場合に、ＵＥ１００−１のＤ２Ｄ信号の受信強度を測定し、ＵＥ１００−３のＤ２Ｄ信号の受信強度を測定しなくてもよい。従って、ＵＥ１００−１は、ＵＥ１００−２のみの信号の受信強度を示す測定情報をｅＮＢ２００に送信してもよい。また、ＵＥ１００−１は、Ｄ２Ｄ通信のためにｅＮＢ２００との通信を代表して行うアンカーＵＥ１００が存在する場合に、アンカーＵＥ１００のＤ２Ｄ信号の受信強度を測定し、他のＵＥ１００の受信強度を測定しなくてもよい。この場合、ｅＮＢ２００は、アンカーＵＥ１００の識別子をＵＥ１００に送信し、ＵＥ１００−１は、当該識別子に基づいて、アンカーＵＥ１００のＤ２Ｄ信号の受信強度を測定する。
【０１３８】
また、上述した実施形態では、ｅＮＢ２００は、ＵＥ１００−１にＤ２Ｄ指示を送信したが、これに限られない。ｅＮＢ２００は、ＵＥ１００−１だけでなく、ＵＥ１００−２及びＵＥ１００−３にＤ２Ｄ指示を送信してもよい。また、アンカーＵＥ１００が存在する場合には、アンカーＵＥ１００に、Ｄ２Ｄ通信を指示してもよい。
【０１３９】
また、上述した実施形態では、ｅＮＢ２００は、ＵＥ１００−１にスケジューリング情報を送信していたが、これに限られない。ＵＥ１００−１は、ＵＥ１００−１宛てではなくＵＥ１００−２及びＵＥ１００−３宛てであるスケジューリング情報を送信する無線リソースを示す無線リソース情報に基づいて、受信してもよい。さらに、ＵＥ１００−１は、受信したスケジューリング情報を、デコード情報に基づいて、スケジューリング情報をデコードすることができる。
【０１４０】
また、上述した実施形態では、ｅＮＢ２００は、ＵＥ１００−１がＵＥ１００−２及びＵＥ１００−３とＤ２Ｄ通信が可能か否かを判断していたが、これに限られない。例えば、ｅＮＢ２００の上位装置（例えば、ＭＭＥ）が、Ｄ２Ｄ端末リストを用いて、Ｄ２Ｄ通信を行っているＵＥ１００を管理していてもよい。すなわち、ｅＮＢ２００の上位装置が、ＵＥ１００−１がＵＥ１００−２及びＵＥ１００−３とＤ２Ｄ通信が可能か否かを判断してもよい。また、ｅＮＢ２００の上位装置が、ＵＥ１００−１が、ＵＥ１００−２及びＵＥ１００−３の近くに存在するか否かを判断してもよい。
【符号の説明】
【０１４１】
１０…Ｅ−ＵＴＲＡＮ、  ２０…ＥＰＣ、  １００，１００−１，１００−２，１００−３…ＵＥ（ユーザ端末）、  １０１…アンテナ、  １１０…無線送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２，２００−３…ｅＮＢ（無線基地局）、  ２０１…アンテナ、  ２１０…無線送受信機、  ２２０…ネットワークインターフェイス、  ２３０…メモリ、  ２４０，２４０’…プロセッサ、  ３００…ＭＭＥ／Ｓ−ＧＷ、  ４００…ＯＡＭ
【図１】
2014233013.tif 000003
【図２】
2014233013.tif 000004
【図３】
2014233013.tif 000005
【図４】
2014233013.tif 000006
【図５】
2014233013.tif 000007
【図６】
2014233013.tif 000008
【図７】
2014233013.tif 000009
【図８】
2014233013.tif 000010